(57)【要約】      （修正有）【課題】故障が少なく、安価に短時間で既存和便器を洋便器に取変える便所改修方法を提供する。【解決手段】便所の既存床面１に便器及関連器具立設床枠組を設置し、既存和風大便器５を跨ぐ便器及関連器具立設床枠組に腰掛式便器固定スタンドと関連器具収納枠１２を設け、腰掛式便器固定スタンドに腰掛式洋便器１０を、関連器具収納枠１２に関連器具をそれぞれ固定して、腰掛式洋便器１０とその関連器具を既存床面１に設置するものである。【選択図】図６
2017036642.tif 000002
【特許請求の範囲】
【請求項１】
既存便所の床面に床枠組を設置し、便器固定スタンドと関連器具収納枠を固定し、前記便器固定スタンドに腰掛式洋便器を、前記関連器具収納枠に関連器具をそれぞれ固定して、腰掛式洋便器とその関連器具を設置することを特徴とする便所改修工法。
【請求項２】
前記関連器具収納枠の中に関連器具と配管配線を取付け、遠赤外線等の暖房シートを張り、外面を化粧材で囲って、冬期間には関連器具収納枠の内部の配管を温めて凍結を防止することを特徴とする請求項１記載の便所改修工法。
【請求項３】
便所の既存床面１に便器を跨ぐ床枠組８を設けて、前記床枠組と相互に連結し、既存床との間に形成される隙間に、遠赤外線等の床暖房シートを付設し、暖房して凍結を防ぐ請求項１に記載の既存便所改修装置。
【発明の詳細な説明】
【技術分野】
【０００１】本発明は、便器及びその関連器具を立設した床枠組を既存床の上に設置する便所改修工法に関する。
【背景技術】
【０００２】便所の和便器を洋便器に取変える工事は、狭いところで異なる職種の作業を順番に行うもので、日数がかかり、費用も嵩む。
洋便器は床置式と腰掛式が用いられているが、床置式洋便器を据えた便所は、床を掃除したくてもモップが使えず、隅には手も届きにくく、菌が付着したままで不潔になり易い。腰掛式洋便器は床面全体を掃除出来て清潔で良いが、堅固に取付けるのが難しくて、配管の継ぎ手から水漏れし易いという欠陥がある。
また、寒冷地では凍結防止策が不十分である。
【発明の概要】
【発明が解決しようとする課題】
【０００３】床置式洋便器は床掃除をしにくいので床面に埃や菌が付着して不潔であり、腰掛式洋便器は掃除し易くて、衛生上格段に優れている。しかしながら、便器をしっかり固定できず水漏れし易い欠点がある。壁面に便器関連器具と配線配管が露出し、床隅は掃除具置き場とされて乱雑である。寒冷地では凍結を防ぐ対策がないし暖房もしにくい。
狭い便房で和便器を洋便器に取替える作業は、床や壁を研る、配管配線を変える等の現場応急の対処ばかりで、故障が多く手間暇がかかり、工事に日数がかかり費用は高いものとなる。またその間便所を使用出来ないという問題があって困る。これらの問題を解決して、掃除し易く、すっきりして見栄えがよく、故障が無く、暖房も凍結防止も出来て、しかも手早く施工できて工事費が安い新工法を開発することが目的である。【０００４】洋便器を置いた便所は床の掃除をしにくく、特に住宅では床面と便器の隙間に黒黴が見え、壁と数ｃｍの空間には手も入らず埃が溜まって不潔である。これは環境衛生上の大問題であり、床置式でなく腰掛式の洋便器を使用することが望ましい。しかし木造便所の改修でも、鉄筋コンクリート造便所の改修でも、故障が起きている。
丈夫な鉄筋コンクリート床に設置されていても、腰掛式洋便器は故障することがある。
腰掛式洋便器の設置手法は、床に便器固定スタンドを立てて、腰掛式洋便器を取付けるものである。この便器固定スタンドはあと施工金属拡張アンカーをコンクリート床に打込んで固定されるものであり、便器はこの便器固定スタンドにパッキング付の専用ボルトにて固定されている。便所の床仕上げは、タイル、石、ビニール張りなどがあり、厚さ５ｃｍ程を研って取り除かねばならない。アスファルト防水をしてあれば、更に厚さ１０ｃｍ程のシンダーコンクリートとモルタルも取り除かねばならない。
しかも、既存の便所床には既設和風大便器穴の周囲に鉄筋が縦横斜めに入っており、便器後方は給水管が埋っているため、これを避けて定められた位置にアンカーボルトの全数を打込むのは難しい。もし鉄筋に当たって指定位置に打込めないボルトが一本でもあれば、必要とするスタンド固定のための保持力が不足することになる。打込めても床が平滑に研取られず凹凸があると二本のスタンドは高さが違い便器は傾いて不具合を生じることもある。スタンドを上記条件でしっかり固定出来ない時は、後と横の壁に構造用合板を打付けて繋ぐなど補強して倒れを止め、また図７に示すように、最近さらに床と壁に十数本のネジ釘打ちが行われているが、これでも便器スタンドは施工後まもなくガタついてきて故障が起きる場合がある。従来工法にあっては既存便所を掃除し易い腰掛式洋便器にする改修は、このように施工不良を生じやすい。腰掛式便器固定スタンドを確実に固定する工法を開発することが大切である。【０００５】便器関連器具の取付け方法に関しても、温水洗浄やセンサー、手洗器タンク等の器具と配管・配線を、壁の腰高さに露出して取付けることが多いが、壁から露出するのは、故障したとき修理し易くなる一方、狭い便房が更に狭くなって、掃除しにくくなり、見苦しい。関連器具と配管・配線の取付け改善が求められている。これについては床置式洋便器も腰掛式洋便器も、同様である。【０００６】寒冷地の便所では、給排水管が凍結して破裂する被害が多いが、現在実施されている対策は、暖房設備を設置するか、排水弁を設けて夜間は水を抜く方法がとられている。便所の足元から暖房するには可なり高額の設備費用が必要であり、毎日、夜間は水を抜いて早朝に水栓を開くのは、まことに煩わしかった。【０００７】和風大便器を腰掛式洋便器に取変える従来の方法は、便器スタンドをコンクリート床にあと施工金属拡張アンカーで固定し、ここに便器を取付ける手法である。しかし既存便所の床には鉄筋や給排水管が入っていて、充分打込めないために便器が構造計算式どおりのアンカー強度で固定されていないことが多い。
更に腰掛式便器では、使用する度に梃の原理で大きい引抜き力がかかって微動し、配管の接続部が傷むため、水が漏れ始めるものと思われる。つまり便器を取付ける工法が悪いため故障が多発するのである。
また、研り、給排水管取り替え作業は、現場に合わせた応急処置となり、故障が発生しやすい。従って、工事の保障期間は短く、費用は割高となっている。
かかる旧来の便器をあと施工金属拡張アンカーで固定する工法を見限って、故障が少なく、安く短時間で便所の改修がなる工法を開発することが求められている。【０００８】現在の便所改修工法は、主として便器を床に置いて関連器具を壁面に取付けているが、便房が狭くなり給排水管と電気配線が露出して見苦しく、また更に床が掃除しにく間遠になり、悪臭がこもり菌が床にはびこって不潔である。便器を壁掛式とし、関連器具と給排水の配管及び配線はキャビネットに収納する工法を開発することが求められている。【０００９】寒冷地でも配管が凍結することなく、暖房が容易に設置可能である便所がさらに、求められている。
【課題を解決するための手段】
【００１０】本発明に係る便所改修工法は、既存便所の床面に金属製の便器及関連器具立設床枠組８を設けて、腰掛式便器固定スタンド１１と関連器具収納枠１２を固定し、前記腰掛式便器固定スタンドに腰掛式洋便器を、前記関連器具収納枠１２にフラッシュバルブやシャワートイレ装置、手洗器タンク等の関連器具３３をそれぞれ固定して、腰掛式洋便器１０とその関連器具３３を既存床の上に設置することを特徴とする便所改修工法である。【００１１】さらに、関連器具収納枠１２の中に関連器具３３と配管配線を取付け、遠赤外線等暖房シート２６を張り、外面を化粧材で囲って化粧キャビネット１４として、その内部の配管等を温めて凍結を防止することを特徴とするものである。【００１２】さらに、既存便所の床の上に便器及関連器具立設床枠組８と歩行床枠組２１を設け、既存床面１と前記便器及関連器具立設床枠組８及歩行床枠組２１との間に形成される床下の空間２３に、暖房のための遠赤外線等の暖房シート２６を布設することを特徴とするものである。
【発明の効果】
【００１３】便所の床は掃除が行き届くため清潔で、故障も少なく、暖房と凍結防止も可能となった。改修工事は半日で終了し、しかも費用は安かった。【００１４】既存の木造便所は、床と壁が強固でないという構造的な弱点があるため、腰掛式洋便器は使用されることが少なかった。便器及関連器具立設床枠組に便器固定スタンドを立設する工法により、木造便所にも腰掛式洋便器１０を使用することが可能となった。【００１５】本発明に係る便所改修工法は、既存建物において既存和風便器５を腰掛式洋便器１０に取変える改修工事のみならず、既存床置式洋便器を腰掛式洋便器１０に取変える改修工事にも適用され、新築する建物の便所に新たに腰掛式洋便器１０を取付けるにも適用される。また鉄筋コンクリート造と木造だけでなく、鉄骨造、仮設建物など全ての建物に適用される。【００１６】便房が連続する場合は、床枠組を隣と連結して、便房仕切りスクリーンの下部隙間を塞ぐことも可能である。これにより隣房からの覗き見、音洩れを防ぐことが出来る。
【図面の簡単な説明】
【００１７】
【図１】本発明に係る腰掛式洋便器を示す平面図である。
【図２】本発明に係る便所床の分割を示す略平面図である。
【図３】本発明に係る腰掛式便器固定スタンドを便器及関連器具立設床枠組に固定する工法を示す斜視図である。
【図４】本発明に係る便所の床枠組を設けて便器固定スタンドと関連器具収納枠とを立設し、化粧キャビネットを組立てる順序を示す分解斜視図である。
【図５】本発明に係る腰掛式洋便器を示す断面図である。
【図６】本発明に係る便房内の腰掛式洋便器とキャビネットの形状を示す斜視図である
【図７】既存腰掛式固定椅子型便器スタンドの固定手法を示す斜視図である。
【発明を実施するための形態】
【００１８】本発明においてこれまで腰掛式洋便器１０として説明したが、これは一般的に呼称されている腰掛式便器、壁掛便器、壁掛式便器或いは壁掛大便器を含むものである。
【００１９】便所の床上に金属製の床枠組みを設置し、腰掛式便器固定スタンド１１と関連器具収納枠１２を立設した。関連器具３３とはフラッシュバルブとシャワートイレ装置、手洗器タンク等であり、これらをコンパクトに収納できる枠を工場にて製作して搬入し、床枠組の上に設置した。関連器具３３を取付けて配管配線を接続した後、表面を仕上げ材で覆って化粧キャビネット１４とした。
【００２０】添付図面には、既存建物は鉄筋コンクリート造、既存床面１はタイル貼、既存壁面２はモルタル塗ペンキ仕上げ、既存便房仕切りスクリーン３は化粧合板としているが、これは特定するものではなく、木造の板張り床，布張り壁等でもよい。アスファルト防水及びその保護コンクリは取り除くことなくそのままの状態でおくため、省略して図示していない。
既存便所は平均的な大きさである巾９０ｃｍ、奥行１４０ｃｍとし、既存大便器５は３０ｃｍ巾で長さ６０ｃｍ、取変えた腰掛式洋便器１０は３６ｃｍ巾で長さ６０ｃｍとして作図し、これを縮尺した。
和風大便器を洋便器に変えたため、既存便房出入口扉４が便器に当たるならば、扉を外開きに吊り変える。
【００２１】図１は本発明に係る腰掛式洋便器１０と関連器具収納枠１２の配置を示したものである。
床置式洋便器が据わっている便所は、便器の高さが５０ｃｍほどあるため、便器の左右も後方も狭くてモップが入らず、更に壁に手洗器が付き、隅には掃除用具が置かれて、床に手が届かず掃除しにくい。床置式洋便器はこのような欠点があるため断念して、腰掛式洋便器１０を設置した。便器がない床は全体にモップがけ掃除が可能となり、化粧キャビネット１４を据えたため、関連器具３３も給排水管も掃除具も収納出来た。天板１５の上には手洗器１６を載せ、花瓶等を飾れた。また床の全面にに消臭シートを張った。
図には便器後方に腰掛式便器固定スタンド１１の位置を点線にて記した。
【００２２】図２は床枠組の分割を示す平面図である。
便所の既存和風大便器５を覆う範囲に便器及関連器具立設床枠組８を設け、残り部分に歩行床枠組２１を設けて、この二つの床枠組を堅結し、枠の下に急結性能を有するモルタルを充填して固定した。次に床枠組の便器固定スタンド立設用穴２８に便器固定スタンドの固定用穴２７を合わせて載せ、ボルトとナットにて締め固めて一体の構造物とした。壁掛式便器固定スタンド１１は、大きい便器及関連器具立設床枠組８の所定位置に堅固かつ確実に設置されており、前後にも左右にも傾くことはない。
この工法により、木造便所にこれまで使用されなかった腰掛式洋便器１０の設置が可能となったのである。しかも、コンクリート建物には更に簡易に実施することが出来る。図示の床枠組は山形鋼Ｌ‐５０×５０×４他を組んで溶接したもので、Ｌ型の縦面に床枠組の固定用穴２９として径９ｍｍの穴を約１０ｃｍ間隔に穿ってあり、この穴から鉄筋コンクリート造便所の後壁に、あと施工金属膨張アンカーを打込んで便器及関連器具立設床枠組８を固定すれば、奥行が短い床枠組でも腰掛式便器の固定スタンド１１が前傾することはない。
歩行床枠組２１は人が歩行する一般的な床であるため、山形鋼Ｌ‐４０×４０×４を用いて壁固定用穴２９を穿ち、床枠組として溶接した。これを便所内へ搬入して、床枠組接続金物３２を使って便器及関連器具立設床枠組８と連結し、水平に固定したのち、アングル下に急結性能を有するモルタル９にて充填した。
【００２３】図３は便器及関連器具立設床枠組８に腰掛式便器固定スタンド１１を立設する工法を示す斜視図である。Ｌ型の形状をした一対の腰掛式便器固定スタンド１１を図示したが、これはコンクリート造の床にあと施工金属拡張アンカーを打込んでスタンドを固定する、従来より市販されているタイプである。
本発明にては便器及関連器具立設床枠組８に工場にて床枠組の便器固定スタンド立設用穴２８が穿ってあり、そこにボルトを挿入して二重ナットを用いて固定する。そのため、床枠組と腰掛式便器固定スタンド１１は確実に固定されて構造的に一体となっている。
この腰掛式便器固定スタンド１１に、メーカーの腰掛式洋便器取付けボルト３０を用いて腰掛式洋便器１０を取付けた。
【００２４】図４は  本発明に係る床枠組据付けから化粧キャビネット１４を完成するまでの組立て順序を示す分解斜視図である。
便器及関連器具立設床枠組８を搬入して据付けたのち、腰掛式便器固定スタンド１１を、次に関連器具収納枠１２を立設した。この関連器具収納枠１２は市販されている組立式棚の穴明き軽量山形鋼と付属金物を用いて組立てた。必要とする強度があり、メッキ塗装され、廉価であるなど利点が多い故である。先ず二つの箱部分を腰掛式便器固定スタンド１１の両脇に置き、その上部を関連器具収納枠連結金物１３にて連結して一体の関連器具収納枠１２とした後、腰掛式便器固定スタンド１１に腰掛式洋便器取付けボルト３０を用いて腰掛式洋便器１０を取付け、関連器具収納枠１２の内部に関連器具３３を取付けて、配管と配線を接続したのち、天板１５を載せ、手洗器１６を取付け、前面の合板を合板止め化粧ビス１７にて固定し、片開き戸１８を取付けた。
【００２５】図５は本発明に係る腰掛式洋便器１０と化粧キャビネット１４等を取付けた便所の断面図であり、既存床面１と床下の空間２３、歩行床枠組２１、便所改修床２２の上下の位置を示し、合わせてこれに立設した関連器具収納枠１２、腰掛式洋便器１０、化粧キャビネット１４を図示したものである。
前記の如く、既存床面１の床仕上げと既存和風大便器５はそのまま残置して、点線にて示した和風便器前立上り部６と和風便器フラッシュ弁７だけを取除いた。その上へ便器及関連器具立設床枠組８と歩行床枠組２１を便器を跨いで一体として設置した。
この便器及関連器具立設床枠組８の上に腰掛式便器固定スタンド１１と関連器具収納枠１２とを立設し、前記腰掛式便器固定スタンド１１に腰掛式洋便器１０を、前記関連器具収納枠１２に関連器具３３を取付ける。
以下、この手順を詳記すると、関連器具収納枠１２には予め中にフラッシュバルブとシャワートイレ装置、手洗器タンクなどの関連器具３３と配管や配線を簡単に取付けしやすい状態にして梱包されており、これを搬入して据付けたのである。配管を接続したあとは便器及関連器具立設床枠組８と歩行床枠組２１との上に１２ｍｍ耐水ベニヤを平坦に敷いてビス止めし、厚さ２ｍｍの消臭シートを張って便所改修床２２とした。
既存床面１と便所改修床２２の段差部分にステンレス板を断面Ｌ型に加工した見切り金物２４をビス止めし、壁立ち上がり部には巾木２５を取付けた。
【００２６】図６は本発明に係る便房内の既存和風大便器５と腰掛式洋便器１０及び化粧キャビネット１４等を示す斜視図である。
腰掛式洋便器１０は便所改修床２２から１０ｃｍほど上方にあるため床掃除し易く、壁面に取付けたのは右手で操作するセンサー付操作盤１９とロール紙２０だけ、掃除用具等は床に置くことなく片開き戸１８内の棚に収納した。
天板は大理石を用い、左上に手洗器１６を載せ、右上は手荷物の仮置き場、住宅にては花瓶を飾る場所として、清潔ですっきりした便所とした。
遠赤外線等の暖房シート２６は関連器具収納枠１２の中と床下の空間２３に付設したが、その位置を太い点線で示した。
【００２７】図７は現在多用されている腰掛式便器固定椅子型スタンド３１の斜視図である。便器が前倒れし易いのを防ぐ対策を描写したものである。
あと施工金属拡張アンカーにて足元を固定されていたが、前倒れしやすいので、更に便器スタンドの後方床と窓台まわりに十数本の固定用ネジ釘を打って補強することで、倒れることを防いでいるとみられる。しかし本発明にてはこのようなスタンドは不用であり使用しない。
【００２８】化粧キャビネット１４の形状と化粧材の色彩はあらかじめ基本の定型を定めているが、要望に従って変更し、例えば各階別、男女別などとカラーコーディネートすることが可能である。
【００２９】本発明による便所改修工法は、便器及び関連器具に不具合が生じたとき、速やかに点検や修理が出来るように、化粧キャビネット１４の前面化粧合板は、取外せるようにして、合板止め化粧ビス１７にて取り付けている。
【符号の説明】
【００３１】１    既存床面
２    既存壁面
３    既存便房仕切りスクリーン
４    既存便房出入口扉
５    既存和風大便器
６    和風便器前立上り部
７    和風便器フラッシュ弁
８    便器及関連器具立設床枠組
９    モルタル
１０  腰掛式洋便器
１１  腰掛式便器固定スタンド
１２  関連器具収納枠
１３  関連器具収納枠連結金物
１４  化粧キャビネット
１５  天板
１６  手洗器
１７  合板止め化粧ビス
１８  片開き戸
１９  センサー付操作盤
２０  ロール紙
２１  歩行床枠組
２２  便所改修床
２３  床下の空間
２４  見切り金物
２５  巾木
２６  遠赤外線等の暖房シート
２７  便器固定スタンドの固定用穴
２８  床枠組の便器固定スタンド立設用穴
２９  床枠組の壁固定用穴
３０  腰掛式便器取付けボルト
３１  腰掛式便器固定椅子型スタンド
３２  床枠組接続金物
３３  関連器具
【図１】
2017036642.tif 000003
【図２】
2017036642.tif 000004
【図３】
2017036642.tif 000005
【図４】
2017036642.tif 000006
【図５】
2017036642.tif 000007
【図６】
2017036642.tif 000008
【図７】
2017036642.tif 000009